(57)【要約】【課題】  扉を開いた状態においても鎖錠棒の先端部で騒音が発生することがなく、しかも弾性材からなるサポータを挿入する必要もなく安価に製作できる扉鎖錠装置を提供する。【解決手段】  扉２に設けられた操作ハンドル３に連動して昇降する鎖錠棒６の先端部に、扉２に向けて湾曲させた湾曲部１７を形成し、その上下にストレート部１８，１６を形成する。また、鎖錠棒６の先端部を支持するために扉２の裏面に支持板のガイド部１４を設け、ガイド部１４の先端側の接触部１４ａを基端側の接触部１４ｂよりも高い位置に形成する。鎖錠棒６を降下させて扉２を開いた状態においては、ストレート部１８が支持板７の傾斜したガイド部１４と係合するため両者間の隙間が小さくなり、扉２を開いたときにも鎖錠棒６がガタツクことがない。【選択図】    図５
2006059887.tif 000002
【特許請求の範囲】
【請求項１】
扉に設けられた操作ハンドルに連動して昇降する鎖錠棒の先端部に、扉に向けて湾曲させた湾曲部を形成したうえ、その上下にストレート部を形成するとともに、鎖錠棒の先端部を支持するために扉の裏面に支持板のガイド部を設け、ガイド部の先端側の接触部を基端側の接触部よりも高い位置に形成したことを特徴とする鎖錠装置。
【請求項２】
ガイド部を扉側に向けて傾斜させたことを特徴とする請求項１に記載の鎖錠装置。
【発明の詳細な説明】
【技術分野】
【０００１】
本発明は、電気機器収納用ボックス等の扉を鎖錠棒によって鎖錠する扉鎖錠装置に関するものである。
【背景技術】
【０００２】
電気機器収納用ボックス等の扉の鎖錠装置としては、扉の表面に設けられた操作ハンドルを回転させると、扉の裏面に設けられた長尺の鎖錠棒が昇降してその上下の先端部がボックス本体と係合し、扉を開けないようにする構造のものが広く用いられている。その一例は特許文献１に示されるとおりであり、鎖錠棒の基端部は操作ハンドルのリンク板に枢着され、操作ハンドルの回転に連動して昇降する。また鎖錠棒の先端部は扉の裏面に設けられた支持板にガイドされ、確実にボックス本体と係合するようになっている。
【０００３】
これらの支持板は扉の裏面に水平に設けられて鎖錠棒を上下方向にガイドするのであるが、鎖錠効果を高めるために鎖錠棒の先端を扉側に湾曲させ、鎖錠棒の先端をボックス本体に係合させた状態から更に操作ハンドルを回転させることにより、扉をボックス本体側に強く引き寄せる力を生じさせている。したがって、支持板には鎖錠棒の湾曲部分が通過することが可能なガイド孔が設けてあるが、その大きさは鎖錠棒の直径に対してかなり大きい（約１.５倍）ものである。
【０００４】
ところが、このように支持板に鎖錠棒に対して大きいガイド孔を設けておくと、扉が鎖錠されているときには問題がないものの、扉を開いた状態では鎖錠棒の先端部がガイド孔の内部でガタガタと動き、騒音を発するという問題があった。なおこのような騒音をなくすために特許文献１に示されるように支持板のガイド部に弾性材からなるサポータを挿入することも行なわれているが、部品点数が増加してコストアップ要因となるという問題があった。
【特許文献１】特開２００２−１５９１０７号公報
【発明の開示】
【発明が解決しようとする課題】
【０００５】
本発明は上記した従来の問題点を解決し、扉を開いた状態においても鎖錠棒の先端部で騒音が発生することがなく、しかも弾性材からなるサポータを挿入する必要もなく安価に製作できる扉鎖錠装置を提供するためになされたものである。
【課題を解決するための手段】
【０００６】
上記の課題を解決するためになされた本発明の扉鎖錠装置は、扉に設けられた操作ハンドルに連動して昇降する鎖錠棒の先端部に、扉に向けて湾曲させた湾曲部を形成したうえ、その上下にストレート部を形成するとともに、鎖錠棒の先端部を支持するために扉の裏面に支持板のガイド部を設け、ガイド部の先端側の接触部を基端側の接触部よりも高い位置に形成したことを特徴とするものである。なお、ガイド部を扉側に向けて傾斜させた構造とすることが好ましい。
【発明の効果】
【０００７】
本発明の扉鎖錠装置は、扉の裏面に設けられた支持板のガイド部の一方の接触部を他方の接触部よりも高い位置に形成したものであるから、鎖錠棒を昇降させる際には鎖錠棒の湾曲部が段差のある接触部間を通過するため、スムーズな昇降が可能である。しかし扉を開いたときには鎖錠棒のストレート部が段差のある接触部間に係合して両者間の隙間が狭くなるので、弾性材からなるサポータを挿入しなくても騒音が発生することがなくなる。
【発明を実施するための最良の形態】
【０００８】
以下に本発明の好ましい実施形態を示す。
図１は本発明の扉鎖錠装置を示す断面図であり、１は電気機器収納用ボックスのボックス本体、２はその前面に枢着されている扉、３は扉２の上下方向中央部に設けられた操作ハンドルである。従来のものと同様、操作ハンドル３は扉２を貫通して裏面に延びる回転軸４を備えており、扉２の裏面側のリンク板５を回転できる構造となっている。
【０００９】
このリンク板５には上下の鎖錠棒６，６の基端部が枢着されており、操作ハンドル３の回転操作に連動して鎖錠棒６，６を昇降させることができる。鎖錠の場合には上側の鎖錠棒６は上昇し、下側の鎖錠棒６は下降することとなるが、このような構造及び動作は業界において従来から周知であるので、以下の説明は上側の鎖錠棒６について行なう。下側の鎖錠棒６は上下が反対となっているだけで、構造及び動作は同様である。
【００１０】
図１に示されるように、（上側の）鎖錠棒６の上端部は扉２の裏面に設けられた支持板７に支持されており、最上端部にはローラ８が設けられている。そして図１のように鎖錠棒６が上昇したとき、このローラ８がボックス本体１の枠部９の裏面と係合し、扉２を開くことができないように鎖錠する。以上の構成は従来品と同様である。しかし本発明では、図２以下に示すように支持板７を工夫し、鎖錠棒６をガイドするガイド部を扉２側に向けて傾斜させてある。
【００１１】
図２は支持板７単体の斜視図であり、図３以下はその使用状態説明図である。この実施形態の支持板７は金属板を略コの字状に折り曲げ成形し、扉取付け面１１、上部水平面１２、下部水平面１３を一体に形成したものである。上部水平面１２の先端部は上面が扉２側に向かうように傾斜させてあるので、凹部周縁部のガイド部１４の先端側の接触部１４ａは、基端側の接触部１４ｂより高い位置となっている。この部分に後述する鎖錠棒６のストレート部分を上下方向に通過させることができる程度の大きさの凹部を設け、鎖錠棒６のガイド部１４としてある。また下部水平面１３にもこのガイド部１４とは逆向きの凹部１５を形成し、図３以下に示すように鎖錠棒６を支持している。
【００１２】
なお鎖錠棒６も、昇降時に支持板７のガイド部１４にガイドされる先端部を、湾曲させてある。すなわち、支持板７の下部水平面１３に対応する部分はストレート部１６であるが、その先端側をガイド部１４と同様に扉２側に向けて湾曲させ、湾曲部１７とし、さらにその先端をストレート部１８としてある。なおこの実施形態では、ガイド部１４の傾斜角度は水平面に対して３０°、湾曲部１７の傾斜角度も垂直面に対して３０°である。しかしこれらの傾斜角度の大きさは、適宜変更できることはいうまでもない。
【００１３】
このように構成された本発明の扉鎖錠装置は、操作ハンドル３の回転操作に連動して鎖錠棒６を昇降させ、その先端部のローラ８をボックス本体１の枠部９の裏面と係合させて扉を鎖錠することは従来と同様である。図６に示すように、従来は鎖錠棒は支持板が扉の裏面に水平に設けられているので、鎖錠棒の湾曲部分が通過するための間隙を設けておく必要があり、ガイド穴は鎖錠棒の直径の約１．５倍ほどの大きさとなるが、本発明では、ガイド部１４の先端側の接触部１４ａは基端側の接触部１４ｂより高い位置にあるので、両接触部間（凹部）が鎖錠棒６のストレート部が通過できる程度の大きさであっても、鎖錠棒６の湾曲部１７とストレート部１８の扉側の境界部分１７ａが接触部１４ｂを通過した後は、鎖錠棒６をガイド部の凹部すなわち両接触部間（凹部）をすり抜けるように移動させることができ、スムーズに昇降させることができる。
【００１４】
このようにして鎖錠棒６を上昇させると、図４に示すように鎖錠棒６の先端部のローラ８は扉２側に移動し、ボックス本体１の枠部９の裏面と強く係合して優れた鎖錠効果を発揮する。この状態では鎖錠棒６のストレート部１６が支持板７の傾斜したガイド部１４と係合している。
【００１５】
また鎖錠棒６を降下させて扉２を開いた状態においては、図５に示すように鎖錠棒６の湾曲部１７よりも先端側のストレート部１８が支持板７の傾斜したガイド部１４と係合する。すなわちガイド部１４の両接触部間（凹部）は鎖錠棒６のストレート部が上下方向に通過できる程度の大きさであるため、両者間の隙間が小さくなり、扉２を開いたときにも鎖錠棒６がガタツクことがない。従って本発明においては、扉２を開いた状態においても鎖錠棒６の先端部で騒音が発生することがなくなり、しかも弾性材からなるサポータを挿入する必要もないので安価に製作できる利点がある。
【００１６】
上記の説明ではガイド部１４はその上面が扉２側に向かうように傾斜させることにより、接触部間に段差を形成したものであるが、ガイド部をクランク状に折り曲げることにより、段差を形成したものであっても良い。また、上側の鎖錠棒６について行なったが、下側については上下が反転するだけで同様である。
【図面の簡単な説明】
【００１７】
【図１】本発明の扉鎖錠装置を示す断面図である。
【図２】支持板単体の斜視図である。
【図３】鎖錠棒を昇降中の状態の説明図であり、(A)は斜視図、(B)は側面図である。
【図４】扉を鎖錠した状態の説明図であり、(A)は斜視図、(B)は側面図である。
【図５】扉を開いた状態の説明図であり、(A)は斜視図、(B)は側面図である。
【図６】従来と本発明とを比較して説明する図であり、(A)は扉を開いた状態、(B)は鎖錠棒を昇降中の状態を示す。
【符号の説明】
【００１８】
１  ボックス本体
２  扉
３  操作ハンドル
４  回転軸
５  リンク板
６  鎖錠棒
７  支持板
８  ローラ
９  枠部
１１  扉取付け面
１２  上部水平面
１３  下部水平面
１４  ガイド部
１４ａ  先端側の接触部
１４ｂ  基端側の接触部
１５  凹部
１６  ストレート部
１７  湾曲部
１７ａ  扉側の境界部分
１８  ストレート部
【図１】
2006059887.tif 000003
【図２】
2006059887.tif 000004
【図３】
2006059887.tif 000005
【図４】
2006059887.tif 000006
【図５】
2006059887.tif 000007
【図６】
2006059887.tif 000008